(57)【特許請求の範囲】
【請求項１】
導電性材料から成る少なくとも１つの接続ブッシュ（３）を有し、導体（２）を接続するための電気的接続装置（１）であって、
前記接続ブッシュは、接続バネ（５）のための空間（４）と、前記空間に配置される接続バネ（５）とを有しており、
前記接続バネは、差込面（６）から前記接続ブッシュ内（３）に差し込まれる導体（２）を、前記接続ブッシュ（３）の内壁（８）に対して締め付ける電気的接続装置（１）において、
前記接続バネ（５）は、前記空間（４）を通って外側に向かって旋回でき、
前記接続ブッシュ（３）は、少なくとも１つの箇所（９）において、回転対称の横断面を有しており、回転部材（１０）から製造されており、
接続されるべき導体（２）および接続された接続要素（１４）の直線的な配置が存在し、
前記接続ブッシュ（３）は、導体（２）を受容するための中心受容開口部（１１）を有しており、前記受容開口部（１１）の直径（１３）は、受容されるべき導体（２）の横断面に適応させられており、
前記接続バネ（５）は単独の部材（１２）であり、前記部材は固定部分（１６）で、前記接続ブッシュ（３）を少なくとも部分的に包囲するとともに、前記接続されるべき導体（２）を前記接続ブッシュ（３）の前記内壁（８）に対して締め付けるためのバネ部分（１７）を有しており、
前記接続ブッシュ（３）は、締め付け領域（３３）において、前記受容開口部（１１）の長手軸に対して横方向の横開口部（３２）を有しており、前記接続バネ（５）には、差し込まれるべき導体（２）を締め付けるための直線的な締め付け縁（２９）が配置されていることを特徴とする電気的接続装置（１）。
【請求項２】
前記接続ブッシュ（３）は、前記差込面（６）に対向する端部（７）にスリットが設けられており、それによって接続ピン（１４）への載置が容易になることを特徴とする請求項１に記載の電気的接続装置（１）。
【請求項３】
前記接続バネ（５）は、少なくとも部分的に非導電性物質から成ることを特徴とする請求項１又は２に記載の電気的接続装置（１）。
【請求項４】
前記接続バネ（５）の前記固定部分（１６）は、前記接続ブッシュ（３）の溝（１８）内に受容されていることを特徴とする請求項１〜３のいずれか一項に記載の電気的接続装置（１）。
【請求項５】
前記接続バネ（５）の締め付けを解除するための解除装置（１９）が設けられていることを特徴とする請求項１〜４のいずれか一項に記載の電気的接続装置（１）。
【請求項６】
解除装置（１９）は、前記接続ブッシュ（３）に隣接しているとともに、前記接続ブッシュ（３）および前記接続バネ（５）によって包囲されていることを特徴とする請求項１〜５のいずれか一項に記載の電気的接続装置（１）。
【請求項７】
解除装置には、円錐形の差込リング（２０）が設けられていることを特徴とする請求項１〜６のいずれか一項に記載の電気的接続装置（１）。
【請求項８】
解除装置（１９）には、少なくとも１つの係合要素（２１）が設けられていることを特徴とする請求項１〜７のいずれか一項に記載の電気的接続装置（１）。
【請求項９】
解除装置（１９）は、前記接続ブッシュ（３）に設置するための半円状横断面を有していることを特徴とする請求項１〜８のいずれか一項に記載の電気的接続装置（１）。
【請求項１０】
それぞれの導体（２）を受容するために、複数の円筒状接続ブッシュ（３）が隣接して配置されていることを特徴とする請求項１〜９のいずれか一項に記載の電気的接続装置（１）。
【請求項１１】
長方形の四隅に４つの円筒状接続ブッシュ（３）が配置されているとともに、１つの接続ブッシュ（３）が前記長方形の中心に配置されており、３つの接続ブッシュを通る対角径（２７）は、各接続ブッシュ（３）の最小直径（２８）の４倍よりも小さいことを特徴とする請求項１〜１０のいずれか一項に記載の電気的接続装置（１）。
【請求項１２】
前記接続バネは、直線的な締め付け縁（２９）を有していることを特徴とする請求項１〜１１のいずれか一項に記載の電気的接続装置（１）。
【請求項１３】
締め付け溝（３４）は、横開口部（３２）と横穴（３０）または横溝（３１）とに形成されていることを特徴とする請求項１〜１２のいずれか一項に記載の電気的接続装置（１）。
【発明の詳細な説明】
【技術分野】
【０００１】
本発明は、電気的接続装置および特に導体を接続するための電気的接続端子に関する。本発明に係る電気的接続装置は、特に、複数の導体の接続にも適している。
【背景技術】
【０００２】
従来技術では、１つまたは複数の導体の接続に適した電気的接続装置および電気的接続端子が知られている。そのような電気的接続端子は、大抵の場合、穿孔曲げ技術によって形成された部材から製造されている。基板が穿孔された後、設けられている曲げ線に沿って曲げられる。このとき、接続バネは基板の曲げられた部分から形成されており、接続されるべき導体のための締め付け領域内に曲げ入れられる。それによって、接続されるべき導体は、電気的接続端子の締め付け領域に対して締め付けられる。
【０００３】
従来技術の不利な点は、穿孔曲げ技術によって形成された部材は、略角張った基本形を有しているので、複数の接続端子を隣接するように並べて配置しなければならないときに、限られた程度でしか密に収納できないという点にある。
【０００４】
従来技術のさらなる不利な点は、接続されるべき導体と接続された接続要素との直線的な配置を提供することが一般的には不可能であるということにある。なぜなら、電気的接続端子が曲げられた形状を有しているので、少なくとも１つの方向において方向のずれが生じるからである。
【発明の概要】
【発明が解決しようとする課題】
【０００５】
したがって、従来技術の背景から、本発明の課題は、高い収納密度を実現し、直線的な配置を可能とするような電気的接続装置および特に導体を接続するための電気的接続端子を提供することにある。
【課題を解決するための手段】
【０００６】
本課題は、請求項１の特徴を有する電気的接続装置と、請求項１７の特徴を有する電気的接続装置と、によって解決される。本発明のさらなる構成は、従属請求項の対象である。本発明のさらなる利点および特徴は、実施例から明らかになる。
【０００７】
本発明に係る、導体を接続するための電気的接続装置は、導電性材料から成る、少なくとも１つの接続ブッシュを有している。接続ブッシュには、接続バネのために空間または凹部が設けられている。当該空間には接続バネが設けられており、当該接続バネは、差込面から接続ブッシュに差し込まれた導体を、接続ブッシュの内壁に対して締め付ける。このとき、接続バネは空間を通って外側に向かって旋回するか、もしくは当該空間で旋回可能なように配置され得るので、当該接続バネは、接続されるべき導体を差し込む際に、対応する導体横断面を中心に、外側に向かって旋回するが、同時に対応する締め付け力は導体に与えられる。
【０００８】
本発明に係る電気的接続装置には多くの利点がある。本発明に係る電気的接続装置の著しい利点は、接続ブッシュを使用することによって、特に小さく設計された電気的接続端子が利用可能になるという点にある。当該電気的接続端子は、底面に、従来の電気的接続装置よりも明らかに密な収納を有することができる。
【０００９】
本発明に係る電気的接続装置のさらなる著しい利点は、接続ブッシュによって、接続されるべき導体と接続された接続要素との直線的な接続が可能になるという点にある。接続されるべき導体は、差込面から接続ブッシュ内に直線的に差し込まれる。当該導体は、締め付け位置の領域において、接続ブッシュの内壁に対して締め付けられ、当該接続ブッシュの反対側の端部には、それに対して直線的に接続要素が設けられているので、全体的に軸対称な構成となり得る。
【００１０】
特に好ましい、さらなる構成においては、前記接続ブッシュは、少なくとも１箇所で、回転対称な横断面を有している。特に接続ブッシュは回転部材から形成されているので、接続ブッシュの基本部分は仕上げ加工の前に完全に回転対称に形成されている。このような接続ブッシュを使用することによって、電気的接続端子を特にコンパクトに構成すること、および、複数の導体を接続装置に接続するための複数の接続領域を省スペースに配置することが可能になる。
【００１１】
特に好ましい実施形態においては、接続された接続要素は、接続ブッシュに対して直線的に配置されている。接続ブッシュおよび接続要素が直線的に配置されている場合、接続方向に対して垂直な面では、必要となるスペースが特に少ないので、特に高い収納密度が可能である。
【００１２】
基本的には、電気的接続装置をさらなる部材に接続できるような任意の電気的接続要素が接続要素として使用できる。好ましいのは、例えば、丸い、平坦な、または平たくされた接続ピンの使用であり、当該接続ピンは、接続ブッシュの下側の、スリットの入ったブッシュ領域に載置されるか、もしくはその中に挿入される。しかしながら、電気的接続装置をたとえばプリント基板などと接続するために、その他の接続要素を使用することも可能である。
【００１３】
全ての実施形態およびさらなる構成においては、接続ブッシュは、好ましくは導体を受容するための中心受容開口部を有している。特に当該受容開口部の直径は、受容されるべき導体の横断面に適応させられているので、わずかな間隙のみが残存している。したがって、接続されるべき導体の特に密な収納が可能になる。
【００１４】
特に好ましくは、接続バネは単独の部品であり、接続されるべき導体を、接続ブッシュの内壁に対して締め付ける。特に当該接続バネは、固定部分と、少なくとも１つのバネ部分とを有しており、当該接続バネは、固定部分によって、接続ブッシュを好ましくは少なくとも部分的に包囲している。当該固定部分からは、バネ部分が締め付け位置の方向において、直接または間接に延在しており、そこでは当該バネ部分が、差し込まれた導体を、接続ブッシュの内壁に対して締め付けている。
【００１５】
特に好ましい、さらなる構成においては、固定部分は環状に形成されており、１箇所においてスリットを有することができる。環状に形成された固定部分によって、接続バネは差込面において、特に接続ブッシュの端部上に、もしくは端部上方に押し込まれ、そこで特に接続ブッシュの円周溝に係合するので、軸方向において、接続ブッシュに関して、接続バネの固定した位置が生じる。
【００１６】
好ましい、さらなる構成においては、接続ブッシュは締め付け領域に、特に円筒状の受容開口部の縦伸びに対して横の横開口部を有している。接続バネの締め付け縁は、横開口部と共に作用し、差し込まれるべき導体を締め付ける。
【００１７】
当該締め付け縁は、特に直線状に形成されており、接続されるべき導体もしくは導体導線を、横開口部内に直線的に締め付ける。当該横開口部は、好ましくは差し込まれるべき導体の締め付け領域において、差込方向に対して横に延在している。
【００１８】
横開口部によって、好ましくは円筒状の受容開口部には一定のくぼみが供給される。当該くぼみによって、直線状の締め付け縁を接続バネに設けることが可能になり、当該締め付け縁は、複数の細い導体導線から成る導体の束も確実に締め付ける。直線状の締め付け縁によって、複数の導体導線を有する導体が広げられるのではなく、全ての導体導線が締め付けブッシュの中に押し込まれる。
【００１９】
このとき、横開口部によって、接続バネによる導体導線の押圧が可能になり、導体導線は横開口部の領域において軽い折れ目を有することができる。そこでは、導体導線は、接続バネの締め付け縁によって、横穴、横溝、または例えばノッチとして形成された横開口部内に押し込まれるからである。
【００２０】
しばしば横開口部には小さなまくれが生じる。当該まくれは、大きい導線の摩擦係数も小さい導線の摩擦係数も増大させるというポジティブな特性を補足的に有している。
【００２１】
好ましくは、接続バネは少なくとも部分的に、バネ特性に優れた、または非常に優れた材料から形成されている。特に、非導電性材料を用いることも可能である。それによって、より安価な材料を利用することが可能になり、総じて、電気的接続装置をより少ない費用で製造することが可能になる。接続バネは、例えばバネ鋼および特にステンレスバネ鋼から、青銅またはリン青銅などから形成され得る。
【００２２】
特に差し込み端部に対向する接続ブッシュの端部には、接続ピンへの載置を容易にするためにスリットが設けられている。
【００２３】
本発明に係る電気的接続装置の、上述の全ての実施形態およびさらなる構成において、好ましくは接続バネの締め付けを解除するための解除装置が設けられており、それによって、必要な場合に、接続された導体を容易に取り外すことができる。あらゆる実施形態において、接続バネは、締め付けられた状態において、接続されるべき導体の差込方向に対して鋭角を有することが好ましい。これらの場合、導体における引張りによって、締め付け力がさらに強化される。方向の遮断が存在するからである。必要な場合に導体を再び取り外すために、解除装置を用いても良い。当該解除装置は、作動装置と共に動作可能であり、したがって、接続ブッシュ内壁への導体の締め付けを解除する。
【００２４】
好ましいさらなる構成においては、解除装置は接続ブッシュに接しており、接続ブッシュおよび接続バネによって包囲されている。接続バネの少なくとも固定部分は、当該解除装置を包囲している。
【００２５】
解除装置には、導体の接続ブッシュへの差込を容易にするために、円錐形の差込リングを設けても良い。
【００２６】
さらに、解除装置には少なくとも１つの係合要素を設けても良い。当該要素は、解除装置が接続ブッシュに差し込まれた後、そこで接続ブッシュまたは接続バネとの係合を行うので、当該解除装置は、特に締め付けを解除するために、軸方向において一定の距離分を動かすことはできるが、もはやたやすく接続ブッシュから取り外すことはできない。
【００２７】
好ましくは、接続ブッシュは、差込面の領域において、半円筒が供給されるように加工される。さらに隣接する半円筒などは、解除装置の一部によって供給され、接続されるべき導体のための中心円筒状差込開口部が形成される。差込面に半円筒状に形成された接続ブッシュと、そこに半円筒状に形成された解除装置とは、全体として、接続バネの固定部分によって包囲されるリングを形成する。
【００２８】
解除装置が軸方向に動くことによって、当該解除装置は、解除装置の一部が接続バネのバネ部分に突き当たり、接続バネがさらに動く際に外側に向かって旋回し、それによって締め付け力が停止するまで、例えば半円筒上に形成された接続ブッシュに沿って摺動する。
【００２９】
その他のさらなる好ましい構成においては、複数の円筒状接続ブッシュが、それぞれ導体を受容するために、隣接して配置されている。特に好ましいのは、サイコロの「５」のような配置である。つまり、長方形の四隅に４つの円筒状接続ブッシュが配置されており、長方形の中心に接続ブッシュが１つ配置されている。このとき、３つの接続ブッシュを通る対角径は、各接続ブッシュの最小直径の４倍よりも小さい。
【００３０】
この寸法設計は特に、長方形の接続ブッシュを用いた場合、各接続ブッシュの対角径が、最小直径の略１.４倍であることに基づいている。このような３つの正方形の接続ブッシュを対角線上に配置した場合、当該対角線は最小で、各接続ブッシュの最小直径の略４.２倍となる。
【００３１】
円筒状の接続ブッシュを使用することによって、接続ブッシュの最小直径は、接続ブッシュの最大直径に直接一致するので、３つの接続ブッシュを対角線上に配置することが可能になり、全体の寸法は、各接続ブッシュの直径の４倍よりも小さい。当該寸法設計においては、各接続ブッシュ間に一定の間隔を設けることが可能であり、好ましくもある。
【００３２】
全ての実施形態において、接続ブッシュの１つの面に、解除装置を作動するために、例えばドライバの受容に適した解除装置の作動面を設けても良い。接続バネによって、解除装置は開始位置に規則的に戻される。当該接続バネは、ドライバを取り外した後、解除装置を基本位置に戻す。
【００３３】
全ての実施形態において、好ましくは、接続ブッシュは真鍮または銅などから形成されている。他の金属を用いることも可能である。接続バネは金属から形成されても良いが、プラスチックから形成されても良い。解除装置は、好ましくはプラスチックから形成される。
【００３４】
本発明に係る他の電気的接続装置は、導電性材料から成る少なくとも１つの接続ブッシュと、差し込まれるべき導体のために接続ブッシュに設けられた受容開口部と、を備える。接続ブッシュには、導体の差込方向に対して横方向に、接続ブッシュへの締め付け溝が形成されている。
【００３５】
本発明に係る当該電気的接続装置にも大きな利点がある。好ましくは、横開口部に締め付け溝が設けられており、当該締め付け溝は、特に差し込まれるべき導体の締め付け領域において、差込方向に対して横方向に延在している。横開口部によって、好ましくは円筒状の受容開口部には一定の締め付け溝が形成される。ここでは、当該円筒状受容開口部は、一定のくぼみを有している。それによって、直線状に形成された締め付け縁を接続バネに設けることが可能になり、当該締め付け縁は、複数の細い導体導線から成る導体の束も確実に締め付け溝で締め付ける。複数の導体導線を有する導体は広げられるのではなく、円筒状受容開口部の締め付け領域において、直線的に締め付け溝内に押し込まれる。
【００３６】
好ましくは、締め付け溝は横穴または横溝から形成され、接続バネの先端の締め付け縁と共に作用する。接続バネのバネ部分の先端の締め付け縁は、好ましくは直線状に形成されている。締め付け縁は、接続バネによって、係合箇所内にプレストレスを与えられている。
【００３７】
本発明のさらなる利点および特徴は、以下に図を用いて説明する実施例から明らかになる。
【図面の簡単な説明】
【００３８】
【図１】本発明に係る電気的接続端子の全体を示す斜視図である。
【図２】ハウジングを取り外した図１の電気的接続端子の図である。
【図３】図１の接続端子の断面を示す側面斜視図である。
【図４】締め付けを解除するために工具を用いた、断面を示す側面斜視図である。
【図５】接続バネおよび解除装置を備えた各接続ブッシュを示す図である。
【図６】接続バネおよび解除装置を備えた接続ブッシュの分解図である。
【図７】接続バネおよび解除装置を備えた接続ブッシュのさらなる実施形態を示す図である。
【図８】接続バネおよび解除装置を備えた接続ブッシュの他のさらなる実施形態を示す図である。
【図９】図８の実施形態に係る接続ブッシュおよび接続バネの図である。
【図１０】図８の実施形態に係る接続ブッシュの図である。
【発明を実施するための形態】
【００３９】
図１から図６を参照に、以下に本発明の第１の実施例を説明する。図１には、電気的接続端子１もしくは電気的接続装置の全体が斜視図で示されている。
【００４０】
図１に示された電気的接続端子１はハウジング２５を有しており、ハウジング２５の上面には５つの受容開口部１１が配置されている。導体２を差し込み、接続するための４つの開口部(図３を参照)は、長方形または正方形の底面に配置されているが、５つ目の開口部は正方形の中心に設けられている。それによって、１つの対角線上に３つの差込開口部１１が配置される。３つの差込開口部１１を通る対角径２７は、各差込開口部１１の対角線の直径２８の３倍よりもわずかに大きい。これは、差込開口部およびその下に配置された接続ブッシュ３が円状もしくは円筒状に形成されていることによって可能になる。
【００４１】
図２には、図１のハウジング２５を取り外した後の電気的接続端子が示されている。ここでは、各接続ブッシュ３が視認できるようになっている。総じて、ハウジング２５の上縁の面においては、接続されるべき導体が密に収納されているが、各接続ブッシュ３の構成を特別なものにすることによって、さらに収納を密にすることができる。
【００４２】
図５には、接続バネ５と解除装置１９とが備えられた接続ブッシュ３が示されている。図６は、接続ブッシュ３、接続バネ５、および解除装置１９の分解斜視図である。
【００４３】
図６から明らかなことに、さしあたり円筒状の回転部材として形成された接続ブッシュ３は、差込面６の領域に凹部または空間４を有しており、ここでは、接続ブッシュの半円筒状部分は空間４として除去されているので、接続ブッシュ３は、差込面６において依然として半円筒状部分として形成されている。
【００４４】
差込面６の端部付近には、接続ブッシュ３の外周に溝１８が設けられており、当該溝内に、単独のバネ部材１２として形成された接続バネ５の固定部分１６が、組み立てられた状態で係合している。
【００４５】
接続バネ５のバネ部分１７は、空間の領域において、押し込まれた導体２を内壁８に対して(特に図３および図４を参照)締め付けるために用いられる。接続バネ５の固定部分１６は、切れ目のないリングとして形成しても良いし、または、図６に示したように、接続ブッシュ３への載置を容易にするために、バネ部分１７に対向する側にスリットを設けても良い。
【００４６】
解除装置１９は、接続バネ５を取り付ける前か、または場合によってはその後に取り付けられる。取り付けられた状態において、解除装置１９は、接続バネ５と接続ブッシュ３との間に延在している。このとき、解除装置１９の長手辺は、空間４の領域において半円筒状に形成された接続ブッシュ３に隣接している。解除装置１９は、接続ブッシュ３の長手方向において、接続ブッシュ３に対して摺動可能である。解除装置１９両側の係合要素２１は、気づかない内に解除装置１９が接続端子１から脱落するのを防止する。
【００４７】
差込面６に対向する端部もしくは接続面７には、プリント基板などを、接続ピン１４を介して接続することができる。このとき、本発明に係る接続端子１の大きな利点は、接続されるべき導体２から、接続ピン１４またはその他の接続要素への直線的な配置が可能であるという点にある。したがって、接続端子１を、固定面においても全体でも、小さく設計することが可能になる。
【００４８】
解除装置１９には、特に円錐形に形成された差込リング２０が設けられており、それによって、導体２の差込が容易になっている。導体は、接続ブッシュ３の空いている直径１３を通って、接続ブッシュ内に入り、押し込まれるときに接続バネのバネ部分１７を軽く外側に旋回させる。差込リングまたは差込ファンネルは、ハウジングによって形成されても良い。
【００４９】
本発明に係る接続端子１の大きな利点は特に、複数の導体導線を有する導体を接続することができるだけではなく、非常に大きな導体を接続することもできる点にある。非常に大きな導体は、キーもしくは解除装置１９の操作を行わずに、直接差し込むことができる。
【００５０】
解除装置１９には、工具２２(図４参照)の設置に適した作動溝２６が設けられており、作動溝２６に対する圧力によって、解除装置１９は、接続ブッシュ３の長手方向に沿って軸方向に摺動可能である。このとき、解除装置１９は、接続バネ５のバネ部分１７に衝突し、接続バネのバネ部分１７を外側に向かって押圧するので、接続ブッシュ３に受容された導体２は、再び取り外し可能になる。
【００５１】
図２に示すように、ここでは、差込面６から対向する接続面７まで、軸１５に沿って導体を直線的に接続することが可能である。
【００５２】
このとき、接続端子の密に隣接して配置された接続は、それぞれ作動溝２６と対を成すように外側に向かって配置されるので、全体として密な収納が可能になる。
【００５３】
図３には、どのように導体２が本発明に係る接続端子１に差し込まれるかが示されている。このとき、接続バネ５は解除され、導体２は接続ブッシュ３の内壁８に対して締め付け可能になる。
【００５４】
このとき、接続バネ５もしくはそのバネ部分１７は、外側から接続ブッシュ３の空間４内に入る。
【００５５】
図４に示したように、解除装置１９の作動溝２６に挿入される工具２２によって作動することで、解除装置１９は、接続ブッシュ３の長手方向において軸方向に摺動する。このとき、解除装置１９は接続バネ５のバネ部分１７に衝突し、さらに入り込む工具２２によってバネ部分１７を外側に向かって旋回させるので、締め付けは解除される。
【００５６】
総じて、柔軟に構成され、スペースを多くは必要としない電気的接続端子１が実現される。接続バネ５は、単独のバネ部材１２として形成されており、したがって、優れたバネ特性を有するその他の材料から形成しても良い。当該材料は、優れた導電性を有する必要はない。
【００５７】
それによって、製造費用を低減し、信頼性を向上させることができる。本発明に係る接続端子は、複数の導体導線を有する導体にも、非常に大きな導体の接続にも用いることができるので、使用領域が柔軟である。
【００５８】
図７を用いて、本発明に係る電気的接続端子１のさらなる実施例を説明した後、図８から図１０を用いて、もう１つの実施例を説明する。このとき、同一または類似する部材には、同一の参照符号が付される。
【００５９】
図７には電気的接続端子１が示されている。接続ブッシュ３の締め付け領域３３には、図７に係る実施例では、横穴３０として形成された横開口部３２が設けられているので、そこでは円筒状の受容開口部１１内に横溝３１が形成され、当該横溝は締め付け溝３４として用いられる。
【００６０】
接続ブッシュ３の締め付け領域３３における横開口部３２は、円筒状受容開口部１１の長手軸に対して横に方向付けられている。接続バネ５の締め付け縁２９は、締め付け溝３４と共に作用して、差し込まれるべき導体２を締め付ける。
【００６１】
図７の上部には、電気的接続端子１の右横に、接続バネ５の概略的側面図が示されている。概略的側面図から明らかなことには、接続バネ５のバネ部分１７の下端は直線的に形成されているので、この直線的な締め付け縁によって、締め付けられるべき導体２は、受容開口部１１の締め付け溝３４内に直線的に押し込まれる。
【００６２】
図７において破線で示されているのは、受容開口部１１の視認不可能な縁である。締め付け溝３４が放射状に引っ込んでいることは明らかに視認できる。
【００６３】
当該実施例では締め付け縁２９は直線的に形成されているが、先行して言及した実施例では、円筒状受容開口部１１に適応するために、角を丸く形成されていた。ここでは、直線的に形成された締め付け縁２９は、接続されるべき導体２もしくはその導体導線を、横開口部３２内に直線的に締め付ける。
【００６４】
横穴３０によって、円筒状受容開口部１１には、一定のくぼみもしくは締め付け溝３４が形成される。当該くぼみもしくは締め付け溝３４内には、接続バネ５の直線的な締め付け縁２９が入り込むことができる。それゆえ、複数の細い導体導線から成る導体の束も確実に締め付けられる。締め付け縁の先端が丸くなっている場合のように扇状に広がることはない。
【００６５】
このとき、横穴３０が、接続バネ５によって導体導線が押し込まれることを可能にするので、当該導体導線は、横開口部３２の領域において軽い折り目を有することがある。そこでは、導体導線は、接続バネ５の締め付け縁２９によって、横穴３０、横溝３１、または例えばノッチとして形成された横開口部３２内に押し込まれるからである。
【００６６】
横開口部３２にはしばしば、製造の際に小さなまくれが生じる。当該まくれは、差し込まれるべき導体２が大きくても小さくても、その摩擦係数が増大するというポジティブな特性を補足的に有している。
【００６７】
図８から図１０に示された、本発明に係る電気的接続端子１の実施例においては、横開口部３０は横溝３１として形成されている。横溝３１は締め付け溝３４として用いられ、締め付け溝３４には、接続されるべき導体２またはその導体導線が、接続バネ５によって押し込まれる。
【００６８】
ここでも、締め付け縁２９は直線的に形成されている。なぜなら、締め付け縁２９は、外側縁で締め付け溝３４内に入り込むことができるからである。
【００６９】
図７に係る実施例では、接続ブッシュ３内に横穴が設けられているが、ここでは、締め付け溝３４を供給するために、横溝３１が設けられている。締め付け溝３４内には、直線的に形成された締め付け縁２９が入り込む。
【００７０】
横溝３１は、差し込まれるべき導体２の締め付け領域３３において、差込方向に対して横に延在している。横溝３１によって、円筒状の受容開口部１１には、一定の締め付け溝３４が供給されており、締め付け溝３４において、円筒状受容開口部１１は一定のくぼみを有している。それによって、接続バネ５において直線的に形成された締め付け縁２９を使用することが可能になり、結果として、複数の細い導体導線から成る導体の束も、締め付け溝３４に確実に締め付けることが可能になる。複数の導体導線を有する導体は、扇状に広げられるのではなく、円筒状の受容開口部１１の締め付け領域３３において、直線的に締め付け溝３４内に押し込まれる。
【００７１】
全ての実施例のように、解除装置１９を設けても良い。
【符号の説明】
【００７２】
１  接続端子
２  導体
３  接続ブッシュ
４  空間
５  接続バネ
６  差込面
７  端部、接続面
８  内壁
９  箇所
１０  回転部材
１１  受容開口部
１２  バネ部材
１３  直径
１４  接続ピン
１５  軸
１６  固定部分
１７  バネ部分
１８  溝
１９  解除装置
２０  差込リング
２１  係合要素
２２  工具
２５  ハウジング
２６  作動溝
２７  対角径
２８  直径
２９  締め付け縁
３０  横穴
３１  横溝
３２  横開口部
３３  締め付け領域
３４  締め付け溝
【図１】
0005492888.tif 000002
【図２】
0005492888.tif 000003
【図３】
0005492888.tif 000004
【図４】
0005492888.tif 000005
【図５】
0005492888.tif 000006
【図６】
0005492888.tif 000007
【図７】
0005492888.tif 000008
【図８】
0005492888.tif 000009
【図９】
0005492888.tif 000010
【図１０】
0005492888.tif 000011